Podtech/llm-jp-corpus-v4-ja_patent huggingface dataset:
(57)【要約】【課題】  シルクを特殊バクテリア（ＮＢ菌）の力によって発酵分解し、オカラ食品のみの発酵食品より更に広範囲の機能を持たせることを期待する。【解決手段】  オカラ等にシルクを混在させ、水と特殊バクテリア（ＮＢ菌）を加え発酵させて分解し、シルク入り健康食品を精製する。菌と発酵炉は既に使用しているものを利用する。【特許請求の範囲】
【請求項１】
煮沸した大豆や豆腐オカラ等に、切断したシルクを投入し、健康食品製造の原材料とする。
【請求項２】
上記、原材料に分解菌群と水を加え３日間発酵炉において、適切な温度と湿度を保ちつつ発酵させシルクを完全分解し、シルク入り健康食品を製造する。
【発明の詳細な説明】
【技術分野】
【０００１】  本発明は大豆オカラ等に、生系（シルク）を混入させ、特殊バクテリア（ＮＢ菌）で発酵させ、生系を食品化する方法に関する。
【背景技術】
【０００２】  人体の髪の毛はその成分がシルクと似ており、シルクの持つ栄養素が人に完全吸収されれば養毛的効果が期待出来るのではないかという研究が一部でなされてきた。【０００３】  シルクの栄養素を安全に効率よく吸収する方法として、バクテリアにより分解させて食品に仕立て上げることが出来れば最上の方法となると言う推論もあった。
しかし、発酵食品を作るについては大豆等食品の中にふくまれているタンパク質を有用なアミノ酸に変えていくことが中心であり、生系という食品以外は殆ど研究されていなかった。
【先行技術文献】
特許文献１は加水分解による方法であり、人体に及ぼす効果については明白でなく、特許文献２についても同様である。
【発明が解決しようとする課題】
【０００４】  本発明の目的は、特殊バクテリア（ＮＢ菌）を使用し、シルクを加水分解等化学的や物理的な方法ではなく、１０００分の３の特殊バクテリア（ＮＢ菌）を混合し発酵させることで
人体に吸収され易い有用な発酵健康食品に仕立て上げる方法を提供することである。
（注）特殊バクテリア（ＮＢ菌）は〔特許第３７１０４２４号〕重金属、ダイオキシン類及び農薬を分解する方法
下記はナバック菌の分析結果である。
2016067344.tif 000002
【課題を解決するための手段】
【０００５】  上記目標を達成するため、請求項１、２において提案する本題発明は、煮沸した大豆やオカラに、切断したシルクと特殊バクテリア（ＮＢ菌）を混在させたうえ発酵タンクで３日間かけて発酵させ、シルクをアミノ酸に完全分解し、健康食品を精製することである。
【発明の効果】
【０００６】  請求項１、２の発明によるとオカラ等にシルクを加えて、特殊バクテリア（ＮＢ菌）で発酵させると、シルクは完全に分解され、オカラのみで作った健康食品効果に加えてあらたな効果が期待出来る。
【０００７】  更に上記健康食品の研究が進めば、アトピー性皮膚炎や育毛・発毛等に効果があると期待されるので、その利用方法については今後の実験に任せたい。
【発明を実施するための形態】
【０００８】  発酵に使用する炉は一般に使用されている発酵炉を使用すればよく発酵菌は開発済みの特殊バクテリア（ＮＢ菌）である。
(57)【要約】      （修正有）【課題】さつま芋を１年に複数回収穫をする方法を提供する。【解決手段】畑を耕し高めの畝を作、さつま芋の苗を植え、第一回目収穫時穴を堀りハサミでさつま芋を切り取り収穫し、ツルは元のまま埋めておき約２ケ月後さつま芋の第二回目の収穫を行う方法。【選択図】図１
2016067346.tif 000002
【特許請求の範囲】
【請求項１】
さつま芋を穴を堀り収穫し元の状態に戻し．１年に２．３回収穫する事．
この技術は．プロ．アマ問わず自由に使っても良いが．
『馬越ケンケン方式』と名付け．後世に残してくれたらと思う．
【発明の詳細な説明】
【技術分野】
【０００１】農業に関する．
【発明の概要】
さつま芋は．５〜６月に苗を植え．１００〜１２０日後に収穫する．
収穫直前の除草作業中．直径１０ｃｍ深さ１０ｃｍぐらいの穴が有り．芋が食べられてあった．雉子君の仕業である．
この事をヒントに．第一回目収穫は穴を堀りハサミで芋を切り取り収穫しツルは元のまま埋めておいた．約２ケ月後．個数にバラツキは有ったが立派な芋が収穫出来た
【発明が解決しようとする課題】さつま芋は．栽培は．簡単であるが．本業としては．効率の悪い作物だと思う
この『馬越ケンケン方式』で少しでも．利益が上がる作物になればと思う．
又．貧困な国の食料として．さつま芋が注目されたらと思う．
【発明の効果】今年初めて．趣味として．畑仕事をし．さつま芋を作ったが雉子君のおかげで２回収穫が出来た．
【図面の簡単な説明】
【図１】１．図の様に芋を．傷つけない様に穴を堀りハサミで芋を切り取り収穫する  ２．収穫後は．元の様にツルを埋める．３．２度目の収穫の時．ツルが茂って根がどこか解りずらいので根の部分に目印をしておく．
【発明を実施する為の形態】
今年は成り行きで．こう云う事になったが参考までに．来年の作戦を書いておく
１．畑を耕し高めの畝を作る
２．根の部分にマーキングをする．
３  ４０ｃｍ程の間隔で苗を植える
４．第一回目の収穫  間の芋は，ツルを落し，収穫．残りは．ケンケン方式．
５．第二回目の収穫  ケンケン方式
６．第三回目の収穫にチャレンジ
【図１】
2016067346.tif 000003
(57)【要約】【課題】  水耕栽培では、液体肥料の中に植物の根を育成するために、液体肥料の流れの中に根をいれる、水の流れは電気モーターにより動いている。【解決手段】  水耕栽培であるが、電気モーターを使用しないで、植物の根を育成するプランター構造を２重構造にして内部容器で植物育成して、外側容器は、蓋付きで、内部を密封させることで、液体肥料の自然蒸発の割合を少なくする、植物の根を外部からの太陽光などを内部容器に届かない構造で解決した。【選択図】図２
2016067342.tif 000002
【特許請求の範囲】
【請求項１】
水耕栽培で、草花や野菜栽培するプランターであって、
プランター構成は、プランター外側容器と内側容器の２重構成で、プランター外側容器上部に、蓋になる板を置く、蓋の構成は分割して、丸形の穴も２枚の板で構成され、丸形の穴は栽培する植物の茎が入る入口となる。
水耕栽培で、液体肥料の給水口は蓋の上部で、給水受け口の下側はＴ字管で蓋の裏側で右、左に散水管が接続され、散水管の下側に内側容器が置かれて、蓋上部の給水受け口より給水された液体肥料は内側容器の上面に散水管の散水穴より散水される、内側容器は根を立体的に育成するために、内側容器内部には布かまたは木の葉などが入り、根が右，左、上、下に立体的に広がる。
内側容器には、上部に種をまき、育成するが、給水された液体肥料は、蓋の上部に出ている水位計により、プランター外側容器の底部水が、水位計により底部水の水位量が確認できる。
内側容器は上部より給水されて液体肥料は内側容器の中を浸透して、プランター外側容器の底部に溜まる底部水となり、ふたたび内側容器の材質により毛細管現象により底部水を上部面まで、底部水を上げる。
プランター外側容器の内側に設置された散水管により、内側容器の上部面に散水と、プランター外側容器の底部水を毛細管現象の２通りにより、内側容器は液体肥料の給水を受けて、プランター外側容器の内部にある、内側容器で植物を育成することを特徴とする水耕栽培プランター。
【発明の詳細な説明】
【技術分野】
【０００１】  本発明は、草花や野菜を栽培する、水耕栽培するプランターである。
【背景技術】
【０００２】  従来の水耕栽培は、電気によりモーター回転させて水流を容器内部で起こさせ、植物の根を水流の中に入れて育成する。
【発明の開示】
【発明が解決しようとする課題】
【０００３】  前記の水耕栽培容器には、常にモーターを回転させて、水流の中で植物の根を育成させる必要がある。
本発明は水耕栽培であるが電気を使用しないで、プランター内部の植物を栽培することを提案する。
【課題を解決するための手段】
【０００４】  本発明は、上記目的を達成するために、
プランター構成は、プランター外側容器と内側容器の２重構成で、プランター外側容器上部に、蓋になる板を置く、蓋の構成は分割して、丸形の穴も２枚の板で構成され、丸形の穴は栽培する植物の茎が入る入口となる。
水耕栽培で、液体肥料の給水口は蓋の上部で、給水受け口の下側はＴ字管で蓋の裏側で右、左に散水管が接続され、散水管の下側に内側容器が置かれて、蓋上部の給水受け口より給水された液体肥料は内側容器の上面に散水管の散水穴より散水される、内側容器は根を立体的に育成するために、内側容器内部には布かまたは木の葉などが入り、根が右，左、上、下に立体的に広がる。
内側容器には、上部に種をまき、育成するが、給水された液体肥料は、蓋の上部に出ている水位計により、プランター外側容器の底部水が、水位計により底部水の水位量が確認できる。
内側容器は上部より給水されて液体肥料は内側容器の中を浸透して、プランター外側容器の底部に溜まる底部水となり、ふたたび内側容器の材質により毛細管現象により底部水を上部面まで、底部水を上げる。
プランター外側容器の内側に設置された散水管により、内側容器の上部面に散水と、プランター外側容器の底部水を毛細管現象の２通りにより、内側容器は液体肥料の給水を受けて、プランター外側容器の内部にある、内側容器で植物を育成することを特徴とする水耕栽培プランターで上記の課題を解決した。
【発明の効果】
【０００５】  上述したように、水耕栽培容器であるが、プランター構成を外側容器と内側容器の２重構成で、液体肥料は手動給水のみで、電気によるモーターでの液体肥料の水流がなくても、植物の根が育成可能にした。
【図面の簡単な説明】
【０００６】
【図１】  プランター平面図
【図２】  プランター正面断面図
【符号の説明】
【０００７】１、プランター外側容器
２、内側容器
３、蓋になる板
４、Ｔ字管
５、給水受け口
６、布か木の葉
７、水位計
８、水位棒
９、底部水
１０、散水管
１１、散水穴
１２、キヤップ
１３、支持棒
１４、丸形の穴
【発明を実施するための形態】
【０００８】  以下、本発明の実施の形態を図１−図２に基づいて説明する。
図１は、プランター平面図を示す。
プランター外側容器１の中に植物を育成する内側容器２を２セット設置して、プランター外側容器１の上部面には、蓋になる板３を５枚置く、蓋になる板３の中に丸形の穴１４を２か所設けて、その下側に内側容器２がくる、蓋になる板３の両側には植物の茎を支える支持棒であり、蓋になる板３の中心板は給水受け口５と水位計７を受ける穴がある、この穴を通して給水受け口５と水位計７はプランター外側容器の中にはいる、蓋になる板３は５分割されていることで別々に開閉が可能となる。
【０００９】  図２は、プランター正面断面図を示す。
給水受け口５より液体肥料を給水すると、給水受け口５の下側にあるＴ字管４より右、左の散水管１０に液体肥料は流れていく、散水穴１１とり、液体肥料は下側にある内側容器２の上面に散水され、内側容器２の中にある、布か木の葉６材質の中を浸透して、プランター外側容器１の底部水９となる。
【００１０】  プランター外側容器１の蓋になる板３に設置された水位計７の中にある水位棒８を見ることで底部水９水位量確認できる［意匠登録第１５０３３３５］使用する。
【００１１】  内側容器２の中に育成される植物は丸形の穴１４中を通り、外側に出て来るが、植物茎を支える棒として、支持棒１３を設ける。
【００１２】  プランター外側容器１の上部面に蓋になる板３を置くことで、内側が密封構造となり、プランター外側容器１の中に内側容器２を入れて、２重構造にしてことで、外側からの輻射熱や太陽光の熱を弱めることが可能となり、液体肥料の蒸発量を抑えることが可能であり、内側容器２の内部温度上昇も抑える効果もでる。
【図１】
2016067342.tif 000003
【図２】
2016067342.tif 000004
(57)【要約】【課題】魚卵類の生臭さを消し、呈味の増大を計り、かつ長期間保存しても、魚卵の変色を防止し、かつ魚卵表皮の収縮を防止する呈味・保存剤を提供することを目的とする。【解決手段】醤油、にんにく、しょうが、唐辛子、酒、節類およびきのこ類を含有する魚卵類の呈味・保存剤。【選択図】  なし【特許請求の範囲】
【請求項１】
醤油、にんにく、しょうが、唐辛子、酒、節類およびきのこ類を含有することを特徴とする魚卵類の呈味・保存剤。
【発明の詳細な説明】
【技術分野】
【０００１】
本発明は、魚卵、特にたら子、数の子、筋子、いくら等の呈味・保存剤に係り、特に冷蔵保存に適した魚卵類の呈味・保存剤に関する。
【背景技術】
【０００２】
従来、魚卵の加工品である辛子明太子の製造法として種々の方法が提案されている。古くはたら子をタレと唐辛子に漬けこむ、いわゆるまぶし形の製造法が主流であったが、近年では、調味液に漬け、乳酸発酵を利用した漬け込み型の製造法が主流をなしている。
【０００３】
このようにして得られた辛子明太子の保存剤としても種々の提案がなされている。例えばリゾチーム、酢酸およびビタミンＢ１を含有する組成物、あるいは魚卵を酢酸およびビタミンＢ１と処理し、次いでリゾチームを添加する方法が知られている（特許文献１）。
【先行技術文献】
【特許文献】
【０００４】
【特許文献１】特開２０００−３７１６号公報
【発明の概要】
【発明が解決しようとする課題】
【０００５】
しかしながら、従来呈味・保存剤は、優れた呈味及び食感を有し、かつ常温・冷蔵保存においても品質の低下を防止できるものではなかった。そこで本発明者は、種々検討を重ねた結果、本発明を完成するに至った。
【課題を解決するための手段】
【０００６】
すなわち、本発明は、醤油、にんにく、しょうが、唐辛子、酒、節類およびきのこ類を含有する魚卵類の呈味・保存剤である。
【発明の効果】
【０００７】
本発明の魚卵の呈味・保存剤は魚卵に優れた呈味・食感を付与することができ、かつ長期間常温および冷蔵保存しても品質、特に魚卵の表皮の収縮を防止し、生臭さを消し、表面の変色を防止することができる。
【発明を実施するための形態】
【０００８】
本発明に使用される魚卵としては、たら子、数の子、いくら等が挙げられるが特にたら子が好ましい。
使用する醤油としては濃口醤油、薄口醤油、溜醤油、再仕込み醤油、白醤油のいずれも使用することができるが、特に薄口醤油が好ましい。
使用するにんにくも粉末にんにくのような乾燥にんにく、摺りおろしにんにくのような生にんにくのいずれも使用し得るが、特に摺りおろしにんにくが好ましい。使用するしょうがとしては粉末しょうが、摺りおろししょうが、しょうが汁等の生のしょうがを使用することができるが、特にしょうが汁が好ましい。
唐辛子も粉末状、千切り状のものが使用できるが、特に粉状のものが好ましい。
酒としては、日本酒、みりん、焼酎等が使用できるが、特に日本酒が好ましい。
節類としては、鰹節、鯖節、宗太節、室節、鮪節、笹目近節、節類エキス、特に鰹節、節類エキスが好ましい。
きのこ類としては、乾しシイタケ、マツタケ、エノキダケ、生シイタケ等が使用できるが、特に乾しシイタケが好ましい。
本発明は、前記材料に加え、さらに適宜塩を用いることによって呈味、食感、保存性を向上させる事ができる。
さらに、前記材料に加え、山椒、柑橘系の皮を用いることによって呈味、香り感、保存性を向上させる事ができる。
【０００９】
本発明の魚卵の呈味・保存剤の使用方法としては、該呈味・保存剤で魚卵の表面を覆ったり、辛子明太子、鱈卵等を輪切りにし、その間に呈味・保存剤を挟んでサンドイッチ状にしたり、液体状の呈味・保存剤を魚卵に注入したり、呈味・保存剤を通気性を有する素材で被包して魚卵の間に介在させる等の方法により行う事ができる。
【００１０】
本発明で使用する通気性を有する素材としては、和紙、不織布、綿布、絹布、化繊布等が挙げられる。
【００１１】
本発明の呈味・保存剤に使用する材料の使用割合としては、醤油１〜１０質量部、好ましくは２〜８質量部、にんにく５〜３０質量部、好ましくは１０〜２０質量部、しょうが５〜３０質量部、好ましくは１０〜２０質量部、唐辛子１．５〜５質量部、好ましくは１〜２質量部、酒５〜３０質量部、好ましくは１０〜２０質量部の範囲が好適である。
また節類５〜３０質量部、好ましくは１０〜２０質量部、乾燥きのこ類１〜１０質量部、好ましくは２〜８質量部、塩も０〜２質量部、好ましくは０．５〜１．５質量部が好適である。
【００１２】
次に本発明を実施例を挙げて説明する。
実施例  １
塩１質量部、薄口醤油５質量部、摺りおろしにんにく１５質量部、しょうが汁１５質量部、粉唐辛子１．５質量部、日本酒１５質量部、かつお節１５質量部、乾しシイタケ５質量部を混合して魚卵の呈味・保存剤を調製した。
【００１３】
実施例  ２
濃口醤油８質量部、にんにく汁２０質量部、摺りおろししょうが１０質量部、粉唐辛子２質量部、みりん１０質量部、乾しシイタケ２質量部を混合して魚卵の呈味・保存剤を調製した。
【００１４】
実施例  ３
淡口醤油２質量部、にんにく汁１０質量部、しょうが汁２０質量部、唐辛子エキス１質量部、日本酒２０質量部、鰹節エキス２０質量部、シイタケエキス８質量部、塩１質量部を混合して魚卵の呈味・保存剤を調製した。
【００１５】
実施例  ４
実施例１で調製した呈味・保存剤に辛子明太子の表面にまぶして３日間冷蔵庫に保存した。この辛子明太子を食したところ、まろやかな食味を有し、辛子明太子の表面の変色もなく、またまったく収縮も生臭さもなかった。
【００１６】
実施例  ５
実施例３で調製した呈味・保存液を注入針を用いて、たら子内に注入した。
【００１７】
実施例１で調製した呈味・保存剤を袋状の不織布の中に充填し口を封じ、この袋状の不織布をたら子と共に容器内に入れ、上部に落し蓋をのせ、その上に重石を乗せて放置し、辛子明太子を調製した。得られた辛子明太子を呈味・保存剤の入った袋と共に冷蔵庫に３０日間保存したが、辛子明太子の表面に変化はなかった。
(57)【要約】      （修正有）【課題】取り上げ出しが容易であるラップを提供する。【解決手段】中空の円筒を所定の長さに切断して、その前開口部に筒状の筒蓋３で、開閉なる様に蓋をするとともに、後開口部は蓋２で蓋をしてラップ筒１を形成して、その表面部にラップ５を引張し引出しする引出口４を設けて、該引出口４に半筒状の覆板６の一端部を小巾紙７にして折曲げして、該引出口４の端部に取付し設けるとともに、広巾紙９の部分を引出口４より上面部に常時覆い出来る様に設けて、ラップ１筒内にラップ５を収納する。【選択図】図１
2016108043.tif 000002
【特許請求の範囲】
【請求項１】
中空の円筒を所定の長さに切断して、その前開口部に筒状の筒蓋３で、開閉なる様に蓋をするとともに、後開口部は蓋３で蓋をしてラップ筒１を形成して、その表面部にラップ５を引張し引出しする引出口４を設けて、該引出口４に半筒状の覆板６の一端部を小巾紙７にして折曲げして、該引出口４の端部に取付し設けるとともに、広巾紙９の部分を引出口４より上面部に常時覆い出来る様に設けて、ラップ１筒内にラップ５を収納して形成し構成してなるラップ筒。
【請求項２】
ラップ５を取出すときは、ラップ筒の覆板６を上開きして、そこに臨んであるラップ５を必要長さ引張って巾広紙１０の端部にあるノコ状の刃１０に当て切取って、ラップ５を取出しできる様に設けた請求項１記載のラップ筒。
【発明の詳細な説明】
【技術分野】
【０００１】    本発明は一般家庭で使用しているラップの簡素化を図ったラップ筒に関する。
【背景技術】
【０００２】    従来の家庭用のラップは、角細長の箱に収納されてあるものを、使用時には上蓋を開いて中のラップを必要の長さに引張り出して、また蓋をして、その横蓋の先端部のノコ状の刃にラップを当てて上端部より一気に切るように横方に引いて、取出すものである。【０００３】    この時、ときに切取ったラップが箱の中に戻ってしまうこともあり、その切口を探し出すことに面倒なことが度々もある。
【先端技術分野】
【発明の概要】
【発明を解決しようとする課題】
【０００４】    そこで、ラップが箱の中に戻ってしまったり、又切り口がわからなくなったりすることを無くそうとすることである。
【０００５】    以上述べたように、従来の持つ諸問題を解決しようとするものであり、清潔でより手早く容易にラップを取出し得ることを目的とするものである。
【課題を解決するための手段】
【０００６】    先ず解決の手段は、切ったマップが箱の中に戻らないように設けるようにしたことである。
【０００７】    それにはラップの切取り部紙が常に一様の位置に収ってある様にすることである。
【０００８】    そしてラップの取出し、切取が手早く容易に出来ることである。
【発明の効果】
【０００９】    上述のように本発明のラップは切り失敗、巻戻しを防止する様にしたことで、ラップの取り上げ出しが容易であるラップを提供出来たことでる。
【００１０】    またラップの替紙の用意することで、ラップ筒の再利用が出来る効果がある。
【図面の簡単な説明】
【００１１】
【図１】    本発明の実施の形態を示すラップ筒の部分断面斜面図
【発明を実施するための形態】
【００１２】    以下、本発明の形態を図に基いて説明する。
【００１３】    図において、１は円筒形状のラップ筒で、中空の筒を任意の長さに切断して、その切断後部の開口部をとじ蓋２を取付けるとともに前面開口部を筒状の筒蓋３をもって、開閉可能なるように設けて不使用時には蓋をしておくものである。
【００１４】    こうして、ラップ筒１の表面部に細口長のラップ引出口４を一直線状に開口して設ける。
【００１５】    こうして、ラップ筒１の内部にはラップ６の逆回戻を防止するようにもうけられてある。
【００１６】    図において、９は半円形状の覆板で、一端部を小巾紙７に折曲げして引出口４の端部に取付けて設けるとともに、他端の広巾紙８部の、両端部に半円形状の板１１を取付けて常時取出口４上部に覆いしておいてラップ１の取出時毎に擺動可能に開閉して必要長のラップ９を引出し得るように設けたものである。
【００１７】    更に広巾部の先先端にはノコ刃を１０を取付けてある。
【００１８】
2016108043.tif 000003
【００１９】    以下、上記の構成を説明する。
【００２０】    上述の如く、ラップ筒１は常時蓋３されてあるので清潔であり、早急に使用とするときは素早く簡単に該蓋３を開けて速にラップ５をその必要とする長さも引出して切取ってラップ筒１を閉じるとともにラップ５の上部を切さく様にして引けば容易に手にする事が出来る特徴を有するものである。
【符号の説明】
【００２１】１・・・・・ラップ筒
２・・・・・蓋
３・・・・・筒蓋
４・・・・・引出口
５・・・・・ラップ
６・・・・・覆板
７・・・・・小巾紙
2016108043.tif 000004
９・・・・・広巾紙
１０・・・・ノコ刃
【図１】
2016108043.tif 000005
(57)【要約】      （修正有）【課題】狭い土地にビッシリと建ち並ぶ大都会のビルやマンション郡地帯での発電方法を提供する。【解決手段】高層ビルや高層マンション郡等にそのビル色に近い色の太陽光ソーラーパネル１を設置する。【選択図】図１
2016108915.tif 000002
【特許請求の範囲】
【請求項１】
我国日本始め全世界中の人々がこの発明を待ち望んでいる事でしょう。我が日本国の物づくりを生かして皆々様方のお力をこの発明に何卒お貸し下さいませ。現在ギッシリと建っている各ビルを利用して、又マンションも含む太陽が昇り沈むまでの日照実験を時間をかけて行い、上のビルからどの位置まで１日中の太陽光が照るのか？等を必要調査してから太陽光ソーラーパネルを設置する。
【請求項２】
この各ビル、マンションに太陽光発電ソーラーパネルを設置して、利用すれば今、現在、頭をかかえている遠い北海道より関東地方等元の発送電網の電力をいかにして資金を莫大にかけて発送電するか？のような事を考えなくて済みます。各ビル等に太陽光ソーラーパネルを設置、そのビル自体に電力が溜まりその溜まった電力を畜電機に溜めてそのまま自社ビルに利用が出来るからです。
【発明の詳細な説明】
【技術分野】
【０００１】本発明は全国の各地方にはまだまだ広大なる広い土地がたくさんございますが、そんな土地には現行の太陽光黒色ソーラー発電パネルがぎっしりと敷き詰めています。各都道府県の県庁所在地のある場所には空き地がまったくございません。超高層ビルが空に向って建っている限りです。そこで現在建っている大都会の東京やその他地方の都会に建ち並ぶ高層ビルのガラス窓を除いて透き間のある縦壁や高層マンションのバルコニーやベランダ等の横壁を利用して各ビル色に近いネズミ色、うぐいす色、薄茶色、コゲ茶色、薄ミドリ色等のビル建設色に近い色の太陽光ビル色のソーラー発電パネルを設置して陽が沈むまでの自然太陽熱を利用して各ビル内の畜電機に蓄電しておけば１日中全館を使用する電気を利用しても充分に賄えます。危険性のある原子力発電を頼らずに利用しなくても充分に電気を利用する事が出来ます。又、高い電気代など気にせずに設備コストはかかりますが、１度の設置で生涯に渡り電気代金などは気にせずにすみます。
【背景技術】
【０００２】従来、現在に於いても全世界にこの装置はございません。この設置が完成すれば全世界中の高層ビルやマンションにも設置が出来ます。【０００３】以下、図１、図２によりこの設置について説明する。図１に於いては、高層ビル・マンションの太陽光パネルの設置取付け工事図、図２は１日中の太陽光の照るビル日照調査図である。【０００４】また、自社ビルにての太陽発電であり、発電所よりの発送電網も必要といたしません。自社ビル内部電気を蓄電するので蓄電された電気はすぐにそのまま利用する事が出来ます。
【先行技術文献】
【発明の概要】
【発明が解決しようとする課題】
【０００５】我国にて、今だ例の無い課題です。問題点は不明です。
【課題を解決するための手段】前項で説明した課題を解決するために、現状では太陽光発電パネルの設置は広々とした拡大な平地にしか設置されませんでしたが今回の発明は全国の県庁及び都庁付近の狭い土地しか無いギッシリと建ち並ぶ高層ビル郡や高層マンションの横壁や縦壁のスペースを利用して今までに無い、その現行建っている各ビルやマンション色に近い色の太陽光ソーラーパネルの設置が可能になり発電所よりの発送電網も不用になります。せっかくの１日中の太陽光を多いに利用して各自で発電して下さいませ。電気はもう節電しなくても太陽光を利用して発電すればかなりの電力を発します。【０００６】前項で説明した課題を解決するために、現行使用している黒色のソーラーパネルでは高層ビルや高層マンションに利用するのは、ちょっと暗いイメージだと思われますので、今後よりの開発製造されて来る太陽光ソーラーパネル色も黒色一色よりも、もっとカラフルな全国に建ち並ぶ高層ビルやマンション色に近い色の太陽光ソーラーパネルの開発を望みます。【０００７】この技法は今まで我国及び全世界中の各ビル郡が集中する場所にもございませんでした。太陽光の照る日照条件は全世界中どこも公平だと思われます。ので狭い土地でも多いに役に立ちます。【０００８】今後、２０２０年には我が東京にてオリンピックやパラリンピック等が開催されますが、各種の建築物が数多く建設されると思いますので、太陽の陽の照る場所等に多いに建築物の各色に近い太陽光ソーラーパネルを利用しましょう。
【図面の簡単な説明】
【０００９】
【図１】本発明の設置概要図
【図２】本発明の１日の日照確認調査図
【発明を実施するための形態】
【００１０】以下、本発明の実施の形態を図１〜図２に基づいて説明する。
【００１１】図に於いては、全鳶職人の専用作業員がビル色に近い太陽光ソーラーパネルを手際良く取り付け作業の図面である。
【００１２】現在、ギッシリと建ち並ぶビルの太陽光ソーラーパネルの設置についての取付け位置の確認の為の日照時間帯の調査図である。
【００１３】広々とした平野地帯の無い都道府県庁のある地帯には現行敷きしめている広い土地がまずございません。でも、良く考えて下さいませ。そんな狭い土地にびっしりと建ち並ぶ都道府県庁等の土地ほど全国の発電所よりの電力を発送網して集中的に使用しています。今回の密集地に建ち並ぶ高層ビルや高層マンション郡等にそのビル色に近い色の太陽光ソーラーパネルを設置すれば発電所よりの電力を発送網しなくても済みます。自社ビルや自社マンションに直接太陽光ソーラーパネルを設置するからです。又、現行のソーラーパネルの黒色の方が電力を良く吸収するかも知れませんが、私は色がビル色やマンション色に近い色のソーラーパネルでもそうあまり変らないと思っています。
【符号の説明】  １．太陽光ソーラー発電設置パネル  ２．鳶職作業員  ３．ウィンチ  ４．リモコン機  ５．ワイヤーロープ  ６．滑車  ７．ソーラーパネル設置組アングル  ８．ビルガラス窓  ９．鳶職人高所作業員１０．超高所作業車１１．ビル日陰部分
【図１】
2016108915.tif 000003
【図２】
2016108915.tif 000004
(57)【要約】【課題】いつ来るかわからない津波から生命だけでなく、財産及び住宅を守る。それに伴い高さを増す堤防から海岸の景観を保全し、自然破壊を防ぎ、海の生態系を豊かにし、従来からある堤防を継続して使用することにより、巨額な堤防の建設費を軽減する。【解決手段】海に面する住宅の下部を吹き抜けとし、また、それを支える複数の柱の正面を力学的に最も抵抗の少ない形として、津波を建物内に流入し、速やかに通過させる、そのような構造を有する建物を海岸に並べて建設する。  【選択図】図１
2016108901.tif 000002
【特許請求の範囲】
【請求項１】
海に正対した建物の下部に、流入する津波を建物を素通りさせるための吹き抜けを設けたことを特徴とする津波対策住宅。
【請求項２】
建物全体及び請求項１記載の吹き抜けを支える複数の柱の正面部の形状を流線型とし、これにより建物に流入する津波を抵抗無く通過させることを特徴とする請求項１記載の住宅。
【請求項３】
請求項２記載の柱の正面部の形状を鋭角とし、建物に流入する津波を抵抗なく通過させることを特徴とする請求項１記載の住宅。
【請求項４】
請求項２及び３記載の柱の形状を、陸側となる柱の後部にも設置することを特徴とする請求項１記載の住宅。
【発明の詳細な説明】
【技術分野】
【０００１】
本発明は、津波の襲来の時に、生命と財産を守るものである。
【背景技術】
【０００２】
従来ある住宅は津波によって、その多くが流出し、大量の瓦礫となっている。その場合、人命の救出を目的として、避難のためのタワーの建設や、建物の一部が浮く構造にしているものがある。
【０００３】
しかし、これらはすべて避難することを前提に考えられており、かろうじて生命を守ることはできたとしても、財産や住宅を守ることはできない。
【０００４】
また津波が深夜に襲来した場合には、なおのこと混乱し避難が遅れ、特に弱者にあっては、生命の維持さえ危ぶまれる。
【先行技術文献】
【特許文献】
【０００５】
【特許文献１】特開２０１４−２２７８０３号公報
【特許文献２】特開２０１２−２１９６０６号公報
【発明の概要】
【発明が解決しようとする課題】
【０００６】
解決しようとする問題点は、津波が昼夜を問わず襲来しても、生命と財産を守り、被害を受けることのない住宅を提供することにある。なお合わせて、現に建設が進められ、場所により高さが５階建てのビルに相当する「万里の堤防」といわれる東日本の堤防、さらに来るべき地震対策として建設が予定されている長大な堤防の建設によって引き起こされる景観の喪失、自然破壊、漁業資源への影響、多大な金銭的負担などを可能な限り解決することにある。
【課題を解決するための手段】
【０００７】
本発明の住宅は、海に正対し、建物の下部を吹き抜けとすることを特徴とする。これにより、押し寄せる津波を建物の吹き抜け部に流入させ、速やかに後部に通過させる。さらに特徴として、建物及び吹き抜け部を支える柱の正面部分は、力学的に最も抵抗の少ない形とする。具体的には船の船首および水中翼や飛行機の翼のように流線型及び鋭角とし、波に対して最も抵抗の少ない形状を採用する。さらに柱の後部も類似の形状にして、引き波にも対応する。
【発明の効果】
【０００８】
本発明の住宅は、下部に設けられた吹き抜けと柱により、津波を抵抗なく受け流し、引き波に対しても同様の効果を持つ。これにより津波が押し寄せて来ても避難する必要が無い。ただ上に移動するだけで良く、誰一人として逃げ遅れる心配はない。したがって夜間寝ている場合でもそのままでいられる。ふだん居住する場所にそのまま留まるので、物資に困ることもない。財産も住宅も何一つ失うことは無い。インフラも整備してあり、通信も確保されている。瓦礫も最低限しか発生せず、被害を受けても、格段に復旧が早い。従来ある堤防はそのままでよく、かさ上げの必要がなくなる。これにより海岸線の景観の維持、  生物資源の保全、海で働く人たちの職住接近、数十兆円とも言われる長大な堤防の建設費の負担減、理想的な住宅に住める満足感、そのほか多くの利点がある。
【図面の簡単な説明】
【０００９】
【図１】は津波対策住宅の例である。
【発明を実施するための形態】
【００１０】
住宅の下部を吹き抜けとし、それを支える柱の正面部分を津波に抵抗の少ない形状とする。
図１は下層の階を吹き抜けとし、それを支える柱の正面を流線型にした集合住宅である。吹き抜けの部分は普段は駐車や、体育館などに利用できる。この部分は本体の建物とは独立して建てられ、大型の津波の場合、流される構造とするので、費用をかけなくて良い。廊下などで建物本体とつないでいる。このような住宅を海岸線に並べて建設し、屋上同士をつないで、遊歩道などにもする。ヘリポート、ソーラー及び風力発電の設備も備える。奥まったところにも同様の住宅を建で、病院棟、教育棟も設ける。吹き抜けは商店街にもなる。空中だけでなく地下でも連結し自由に移動できる、周囲は広い道路を設け、緑地、公園、農場などにする。
【図１】
2016108901.tif 000003
(57)【要約】      （修正有）【課題】蒸気を光分解させ水素と酸素を効率良く製造する技術を提供する。【解決手段】真空ポンプ５により真空にさせた蒸気分解用真空本体１へ、蒸気発生装置２より発生させた蒸気を蒸気投入微調整バルブ３により蒸気分解用真空本体１へ投入させ、減圧・減温して常温の飽和蒸気を作る。飽和蒸気は遠紫外線発生装置４により飽和蒸気を光分解させる働きのある、波長が１９０ｎｍより短い光の遠紫外線を照射する。遠紫外線の分子結合を切断できるフォトンエネルギーが蒸気分子結合エネルギーより高く、水素と酸素とオゾンに分解させ真空ポンプ５により分離タンク６へ投入される。分離タンク６に投入された水素は非常に軽く上部へ、酸素とオゾンは重く下部へと分離される。酸素とオゾンはオゾン熱分解装置１０により分解され酸素を製造できる。【選択図】図１
2016108211.tif 000002
【特許請求の範囲】
【請求項１】
本発明の水蒸気を光分解して水素と酸素を製造する方法及び製造装置は、真空ポンプにより真空にさせた蒸気分解用真空本体へ、蒸気発生装置より発生させた蒸気を蒸気投入微調整バルブにより蒸気分解用真空本体へ投入させ、減圧・減温して常温の飽和蒸気を作る。飽和蒸気は遠紫外線発生装置により蒸気を光分解させる働きのある、波長が１９０ｎｍより短い光の遠紫外線を照射し、水素と酸素とオゾンに分解させ真空ポンプより分離タンクへ投入され、酸素とオゾンはオゾン熱分解装置により分解させ酸素を作ることを特徴とする水蒸気を光分解して水素と酸素を製造する方法及び製造装置。
【発明の詳細な説明】
【技術分野】
【０００１】  本発明は、水蒸気を光分解して水素と酸素を製造する方法及び製造装置に関するものである。
【背景技術】
【０００２】  蒸気から水素と酸素に原子分解するには、蒸気を４，３００℃以上にすると原子分解するが超高温で、製造する金属・装置等が温度に耐える事が出ず製造不可能であった。
【先行技術文献】
【０００３】
【先行技術文献】
特開２００８−６９０１７号公報
【非特許文献】
【０００４】
【非特許文献１】産業技術総合研究所「可視光で水を水素と酸素に分解」２００１年
【発明の概要】
【発明が解決しようとする課題】
【０００５】  蒸気を光分解させるには、上部よりガラス越しに遠紫外線を照射させますが、蒸気温度が高ければ遠紫外線発生装置とガラスの間にスペースを作り冷却装置が必要になる。遠紫外線照射有効範囲は大気中で３〜５ミリ程度でガラスの厚さも考慮すると不可能であり、光分解させる可能な常温蒸気を作る事。
【課題が解決するための手段】
【０００６】  真空ポンプ５により蒸気分解用真空本体１を真空にさせ、蒸気発生装置２より発生させた蒸気を蒸気投入微調整バルブ３により蒸気分解用真空本体１に投入させ、減圧・減温して常温の飽和蒸気を作る。遠紫外線発生装置４をガラス７面に直接設置でき、遠紫外線を有効に照射できる。
【発明の効果】
【０００７】  蒸気分解用真空本体内での飽和蒸気温度は蒸気投入微調整バルブで調整でき、常温で遠紫外線発生装置を冷却する事なく効率的に遠紫外線照射することで、水素と酸素とオゾンを効率よく製造できる。
【図面の簡単な説明】
【０００８】
【図１】水蒸気を光分解して水素と酸素を製造する方法及び製造装置の全体図である。
【発明を実施するための形態】
【０００９】  蒸気分解用真空本体で光分解に適温な常温飽和蒸気を作る。その飽和蒸気を遠紫外線発生装置にて光分解させ、水素と酸素とオゾンに光分解させる。酸素とオゾンはオゾン熱分解装置にて熱分解して、酸素を製造する。
【実施例１】
【００１０】  図１は水素と酸素を製造する方法及び製造装置の全体図であって、真空ポンプ５により真空にさせた蒸気分解用真空本体１へ、蒸気発生装置２より発生させた蒸気を蒸気投入微調整バルブ３により蒸気分解用真空本体１へ投入させる。【００１１】  投入された蒸気は蒸気分解用真空本体１が真空のため減圧・減温して常温の飽和蒸気を作る。また蒸気投入微調整バルブ３により飽和蒸気温度は調整できる。【００１２】  投入された飽和蒸気は遠紫外線発生装置４により飽和蒸気を光分解させる働きのある、波長が１９０ｎｍより短い光の遠紫外線を照射する。理想は水素と酸素であるが遠紫外線の分子結合を切断できるフォトンエネルギーが蒸気分子結合エネルギーより高く、水素と酸素に分解後さらに１部の酸素に影響して、オゾンまで生成してしまう。【００１３】  水素と酸素とオゾンに分解させ真空ポンプ５により分離タンク６へ投入される。分離タンク６に投入された水素は非常に軽く上部へ、酸素とオゾンは重く下部へと分離される。酸素とオゾンはオゾン熱分解装置１０により分解させる。【００１４】  オゾン熱分解装置１０はコイル状の管を４００℃程度で加熱する装置。オゾンは活性エネルギー以上のエネルギーを与えられると、オゾンは熱分解を起こします。２００℃以上になると分解反応の半減期は数秒以内になります。実用的には、３５０℃に１秒間程度滞留させることにより、ほぼ完全に分解されると言われています。【００１５】  蒸気投入量は蒸気分解用真空本体１の１００分の１程度で毎秒投入させた場合の生産性と生産量は、蒸気投入量分を真空ポンプ５が吸い出し、飽和蒸気は低速で光分解され１．５倍の水素と酸素とオゾンになり、水素と酸素の生産量は蒸気分解用真空本体１体積量の日量約１３００倍である。これは例であり常温の場合は増加する。
【産業上の利用可能性】
【００１６】  水素と酸素を燃焼させても水を生成するのみであり排気ガスの出ないクリーンなエネルギーとして水素と酸素が大きく期待されています。海外でも国内でも水素を利用した燃料電池自動車が試験走行しています。当考案はただ同然の水から大量に製造が可能で、発電への利用が考えられる。水素は酸化剤として酸素を用いると約３，１００Ｋという高温となり、高温ガスタービンへの適用が可能である。各製造工場・大手会社等自社発電・車各メーカー・船・飛行機等の高エネルギーエンジン革命による市場。
【符号の説明】１    蒸気分解用真空本体
２    蒸気発生装置
３    蒸気投入微調整バルブ
４    遠紫外線発生装置
５    真空ポンプ
６    分離タンク
７    ガラス
８    水素排出口
９    酸素排出口
１０  オゾン熱分解装置
【図１】
2016108211.tif 000003
(57)【要約】【課題】  従来の射出成形による中皿は金型の構造上成形品を薄肉にすることが出来ず、使用される材料の量も多くなり、コストアップになっていた。【解決手段】  化粧品収納容器に使用される中皿を真空成形によって成形することで、使用される材料の量を減らすことが出来る。【選択図】図１
2016083066.tif 000002
【特許請求の範囲】
【請求項１】
化粧品が充填された中皿と、この中皿を収納する収納容器本体と、この収納容器本体の上部を開閉可能に覆う蓋とから構成される化粧品収納容器において、中皿を真空成形によって成形したことを特徴とする化粧品収納容器。
【発明の詳細な説明】
【技術分野】
【０００１】
本発明は化粧品を収納するコンパクトの中皿に関するものである。
【背景技術】
【０００２】
従来の化粧品を収納するコンパクトの中皿はプラスチック材を射出成形したものが使用されていた。
【０００３】
しかし射出成形は金型の構造上成形品を薄肉にすることが出来ず、使用される材料の量も多くなるなど、コストアップとなっていた。
【０００４】
このような射出成形によって厚肉に形成された中皿としては特許5037894がある。
【０００５】
この改善策として、中皿を使用せず直接収納容器本体内に化粧品を充填するという方法もあが、この方法では充填した化粧品が不良であった場合、収納容器本体ごと廃棄せねばならず不経済になるという欠点があった。
【先行技術文献】
【特許文献】
【０００６】
【特許文献１】特許5037894
【発明の概要】
【発明が解決しようとする課題】
【０００７】
解決しようとする問題点は、化粧品を収納するコンパクトの中皿で使用される材料が多くならず、コストアップとなることを防止することである。
【課題を解決するための手段】
【０００８】
本発明は、化粧品が充填された中皿と、この中皿を収納する収納容器本体と、この収納容器本体の上部を開閉可能に覆う蓋とから構成される化粧品収納容器において、中皿を真空成形によって成形したことを最も主要な特徴とする。
【発明の効果】
【０００９】
本発明は以上説明したように中皿の成形方法として真空成形によって成形したことを採用したので、使用される材料の量を減らすことが出来るという効果があるとともに、真空成形は単位時間あたりの生産数が多いため中皿の生産コストを下げることが出来るという効果もある。
【図面の簡単な説明】
【００１０】
【図１】収納状態を示した断面説明図である。（実施例１）
【図２】中皿を示した断面説明図である。（実施例１）
【図３】全体を示した斜視説明図である。（実施例１）
【発明を実施するための形態】
【００１１】
化粧品が充填された中皿と、この中皿を収納する収納容器本体と、この収納容器本体の上部を開閉可能に覆う蓋とから構成される化粧品収納容器において、中皿を真空成形によって成形したことによって実現した。
【実施例】
【００１２】
以下、図面に示す実施例により本発明を詳細に説明する。
図１ないし図３に示す発明の第１の実施例において、１は化粧品収納容器でこの化粧品収納容器１は中身を収納する収納凹部６が形成された収納容器本体２とこの収納容器本体２の上部を開閉可能に覆う蓋３とから構成されている。
【００１３】
４は前記収納容器本体２内に収納される中皿で、この中皿４にはファンデーション、アイシャドウなどの化粧料５が充填される充填凹部７が形成されている。
【００１４】
この中皿４は接着など、従来から行われている方法で収納容器本体２内に固定される。
【００１５】
中皿４はシート状のポリエチレンテレフタレート、塩化ビニールなどのプラスチック材料を加熱軟化させたものを金型内部を真空状態として材料を金型内部に引っ張り込み、冷却させて所定の形状に加工する真空成形によって成形加工したものが使用される。
【００１６】
さらにこの中皿４は透明な材料を使用することができ、成形前にその充填凹部７が形成される反対面、すなわち裏面に多種な印刷、ホットスタンプなどの加色を施すことができるものであり、印刷が裏面なので充填された化粧料５にインクやホットスタンプが直接触れることがないため化粧料5に悪影響を及ぼすことがなく、従来は出来なかった加色を施すことで商品価値を高めることも出来る。
【産業上の利用可能性】
【００１７】
中身が充填される中皿を真空成形によって所定の形状に成形加工したものが使用されるので、中身が充填された中皿を収納容器に収納するものであれば何にでも利用できる。
【符号の説明】
【００１８】
１    化粧品収納容器
２    収納容器本体
３    蓋
４    中皿
５    化粧料
６    収納凹部
７    充填凹部
【図１】
2016083066.tif 000003
【図２】
2016083066.tif 000004
【図３】
2016083066.tif 000005
(57)【要約】      （修正有）【課題】ディスクグラインダーの使用者の視界を確保し、かつ飛散物から保護する安全保護具を提供する。【解決手段】安全保護具は、ディスクグラインダー本体前部にはハンドグリップ用のナット穴がありアタッチメントＡ１をナット穴の接合部に組み合わせアタッチメントＡ１に組み付けてある六角ボルトベース２から延びたフレキシブルチューブ３の先端に、透明なポリカーボネート板７である保護板を設けた構造を有する。【選択図】図１
2016083758.tif 000002
【特許請求の範囲】
【請求項１】
本体は六角ボルトベースから延びた自在性のあるフレキシブルチューブとその先端に透明なポリカーボネート保護板をセットした物を主軸とし、アタッチメントＡと組み合わせて使う、目や顔を飛散物から保護する安全保護具。
【請求項２】
ディスクグラインダーのハンドグリップ用のナット穴には８ミリと１０ミリの二種類があり、アタッチメントＡは８ミリ、１０ミリのナット穴に対応しておりハンドグリップ使用時にも邪魔なく使用できる請求項１の安全保護具。
【請求項３】
アタッチメントＢはホースバンドを利用して、ディスクグラインダーの胴体部に取り付ける、好みの場所にセッティングすることが可能で作業上での選択肢が広がる請求項１又は請求項２の安全保護具。
【発明の詳細な説明】
【技術分野】
【０００１】  本発明は、ディスクグラインダーなど工作機械の使用時における目や顔の保護に関するものである。
【背景技術】
【０００２】  従来、ディスクグラインダー使用時には、目を保護するために保護メガネ（ゴーグルタイプ）がある。
【発明の概要】
【発明が解決しようとする課題】
【０００３】  従来の保護メガネは自身の体温により、保護メガネの内側がくもり、良好な視界が確保できずにいた、視界を確保し目だけでなく顔をも飛散物から保護する保護具が求められていた。
本発明は、従来の保護メガネの問題点を解決するためになされたものである。
【課題を解決するための手段】
【０００４】  ディスクグラインダー本体前部にはハンドグリップ用のナット穴がありアタッチメントＡをこのナット穴の接合部に組み合わせ、アタッチメントＡに組み付けてある六角ボルトベースから延びたフレシキブルチューブの先端に透明なポリカーボネート板を設ける。
以上の構成よりなる、安全保護具。
【発明の効果】
【０００５】  従来からの不便な保護具に変わり本発明により、視認性を確保し飛散物までをも押さえ込むことが可能になった安全保護具である。
本発明はディスクグラインダーだけでなく、小型卓上工作機械にも利用することができる。
【図面の簡単な説明】
【０００６】
【図１】本発明の斜視図
【図２】本発明の使用状態を示す斜視図
【図３】本発明の応用を示す斜視図
【図４】本発明の応用した状態を示す斜視図
【発明を実施するための形態】
【０００７】  以下本発明の実施の形態を説明する。
（イ）本体は１０ミリのボルトを配した六角ボルトベース（２）を軸とし、これより延びたフレキシブルチューブ（３）の先端に四角形状のポリカーボネート板（７）を設けアタッチメントＡ（１）に取り付けてある１０ミリのナットに組み付けて使用する。
（ロ）くの字状のアタッチメントＡ（１）は上部内側に１０ミリのナットを設け、たて側には１０ミリのボルト用の穴を設ける。
（ハ）アタッチメントＡ（１）のたて側のボルト用の穴に対し８ミリ穴のワッシャー（８）を用意する、このワッシャーには返しが有りディスクグラインダーの８ミリナット穴に対応する為のものである、ディスクグラインダーの１０ミリナット穴にはワッシャー（８）を使用せずに１０ミリボルトネジを使用する、これにより全ての機械メーカーのディスクグラインダーに対応できる。
（ニ）六角ボルトベース（２）はアタッチメントＡ（１）から切り離しアタッチメントＢ（１０）に取り付け使用することが出来る、また切り離した六角ボルトベース（２）はディスクグラインダーグリップ穴に直に取り付けることも可能である。
（ホ）四角形状のポリカーボネート板（７）はフレキシブルチューブ（３）先端部にある凹状の保護板固定具（４）にネジ（６）により固定され交換が可能となっている。
（ヘ）凹状のポリカーボネート板固定具（４）のネジ（６）側の中央部にＬＥＤ照明（５）を設け、反対面にスイッチ（９）とボタン電池ケース（１０）を設ける。
（ト）アタッチメントＢ（１１）はディスクグラインダー本体の胴体部にホースバンド（１２）で固定する、アタッチメントＡ（１）を使用するよりもより自在性があり使用者の選択肢を広げる。
本発明は以上のような構造である。
本発明は工作機械メーカーごとにハンドグリップ穴径が違い８ミリと１０ミリとに２分されている為に全ての工作機械メーカーのディスクグラインダー対応のアタッチメントＡ（１）、Ｂ（１１）を開発したものである。
ハンドクリップ穴に組み付けたアタッチメントＡ（１）、そのアタッチメントＡ（１）に組み合わせた六角ボルトベース（２）から延びたフレキシブルチューブ（３）の自在性をもって顔と切削物との間にポリカーボネート板（７）を最適な位置に配置し視界の確保と作業の安全性を高める、作業箇所が狭い場所、暗い場所にはＬＥＤ照明が設けてあり、照明の行き届かない場所での作業を容易にする安全保護具である。
【符号の説明】
【０００８】１  アタッチメントＡ、２  六角ボルトベース、３  フレシキブルチューブ、
４  固定具、５  ＬＥＤ照明、６  ネジ、７  ポリカーボネート板、
８  ８ミリ用ワッシャー、９  スイッチ、１０  電池ボックス、
１１  アタッチメントＢ、１２  ホースバンド、１３  スベリ止め
【図１】
2016083758.tif 000003
【図２】
2016083758.tif 000004
【図３】
2016083758.tif 000005
【図４】
2016083758.tif 000006
(57)【要約】【課題】        歯と歯の間に生じた縦長の隙間に適応した歯間ブラシの提供【解決手段】        ツマミのある方向に結果的にブラシを９０度横向きに倒すようにしたところのＶ字状と、Ｕ字状になった歯間ブラシの形及びその構造の考案【選択図】図１
2016083320.tif 000002
【特許請求の範囲】
【請求項１】
ツマミの先端部（１）と、該先端部（１）の先端部分の任意に定めた支点ａ（３）と、支点ｂ（４）とに、両端に当たるブラシの芯ｃ（５）と、ブラシの芯ｄ（６）とをそれぞれ埋め込み固定させることにより形成されたＶ字状ブラシ（２）と、該Ｖ字状ブラシ（２）を構成するところの構造を特徴とする歯間ブラシ。
【請求項２】
請求項ＩのＶ字状ブラシ（２）に替えて、芯部がＵの字のブラシの芯（８）に形づくられたところのＵ字状ブラシ（７）の形と、該形の構造を特徴とする歯間ブラシ。
【発明の詳細な説明】
【技術分野】
【０００１】        本発明は歯間ブラシの構造に関するものである。
【背景技術】
【０００２】      従来ある歯間ブラシは、ツマミの先端中心部分にブラシの端に突出た芯の部分を埋め込み固定したもので、ブラシの先端を歯と歯の隙間に挿入してブラッシングを行うことにより、残渣物や歯の汚れを除去するものである。【０００３】    しかし、歯と歯の隙間が小さい場合を除き、隙間がだんだんと大きくなるにつれ、その形が歯の側面の形状に沿って上下に縦長に、しかもその大部分は歯の付け根の方が広くなっていて先に行くほど狭くなる、いわゆるデルタ状に空くようになるため、一点を中心にして放射状に巻きつけて作られたブラシとでは形状が違うので、ブラッシングをした時になかなか隙間全体をカバーして磨ける迄には至らなかった。
【発明の概要】
【発明が解決しようとする課題】
【０００４】        解決しようとする問題点は、ブラシ部分をできるだけ縦長の隙間の形に合わせ、ブラシ面と歯の側面とで接触する部分が多くなるようにすることである。
【課題を解決するための手段】
【０００５】      本発明は問題解決のため、ブラシの形をＶ字状と、Ｕ字状にしたものである。
【発明の効果】
【０００６】        ブラシの形をＶ字状と、Ｕ字状にすることにより、どちらも、従来のブラシに比べ、同じ一動作でより多くの汚れを除去する事が出来ることと、より多く歯の側面に接する事で安定した操作が得られると同時に、ツマミにブラシの両端の芯がそれぞれ固定されているので、耐久性の面での向上が図られるとともに、使用中に生じる変形に対する強度も増した。またＶ字状ブラシの先端や特にＵ字状ブラシの先端は、従来ある先端の芯がドット状のブラシに比べ、形状的にも歯茎をきずつけにくい構造となっている。
【図面の簡単な説明】
【０００７】
【図１】  本発明のうちＶ字状の歯間ブラシの正面図である。
【図２】  本発明のうちＵ字状の歯間ブラシの正面図である。
【符号の説明】
【０００８】            （１）上下に細長く、左右が薄く板状になったツマミの先端部
（２）Ｖ字状ブラシ
（３）支点  ａ
（４）支点  ｂ
（５）ブラシの芯  ｃ
（６）ブラシの芯  ｄ
（７）Ｕ字状ブラシ
（８）ブラシの芯
【発明の詳細な説明】
【０００９】            正面から見て、Ｖの字を９０度横に倒した形のＶ字状のブラシ（２）と、その形を保つためのツマミの先端部分の支点ａ（３）と支点ｂ（４）との間隔を狭めて行けば、、それに従って自ずとブラシの角度も狭くなってくる訳で、設定次第で幾種類もの歯間ブラシを作り出すことが出来る。尚図１は拡大図である。
【００１０】            真直ぐなブラシの中心部分よりＶ字状に折り曲げられた点を境にしてみて、どちらか一辺のブラシの毛の長さが他の一辺より、著しく長く設定された構造のものと、それとは逆に両辺のブラシの毛の長さをどちらも短めにしたものと、その両者の中間的な形ものが考えられる。
【００１１】            歯の隙間の形状がローマ字のＩの形のように細長くなった場所に適したものとして図２のＵ字状ブラシ（７）を考案する。尚図２は拡大図である。
【発明を実施するための形態】
【００１２】            ブラシの中心から見て上下の毛の長さをそれぞれ違えて設定したものを幾種類か事前に作って置いて、Ｖ字状に芯を固定するときの、二つの芯の間隔、即ちブラシの長さの加減と適宜に設定されたＶ字状の角度のものをうまく組み合わせることで、歯と歯の間に実際に生じた種々なデルタの形の隙間に対応する歯間ブラシを提供する
【００１３】            Ｖ字状ブラシでは挿入しづらい前記Ｉの形に象徴される隙間の形及びその周辺の形に対応する方法として、先ずＵ字状ブラシを構成するブラシの毛の長さをいくつか変えたものを作って置き、そのブラシの上下の間隔の違いによるものとのコンビネーションにより幾種類か雛形を作り上げることで解決を図る。
【図１】
2016083320.tif 000003
【図２】
2016083320.tif 000004